(57)【要約】【課題】  可動リンク部の突起が可動アーム側面のガイド用側溝部から離脱するのを防止し、また金属材料を入れ替える必要なく１８０°まで一機に屈曲できるようにする。【解決手段】  固定側切断溝部４Ａ，４Ｂを備えた切断ベース部４を有する固定ベースアーム１と、固定ベースアーム１に回動可能にして枢着した可動アーム２と、可動アーム２の回動に伴って、可動アーム２側面に形成したアリ溝状のガイド用側溝部７に嵌合してスライド可能となる先端末広がりの突起６を備え、固定側切断溝部４Ａ，４Ｂに対応して可動側切断溝部５Ａ，５Ｂを備えた可動リンク部５とで切断機構部Ｐを構成する。支軸部３に突設した梃子支点部を中心にして固定ベースアーム１、可動アーム２それぞれに梃子力点部を突設し、可動アーム２は固定ベースアーム１に支軸部３の廻りに角度０°から１８０°まで回動可能として屈曲機構部Ｑを構成する。【選択図】      図１
0003109603.tif 000002
【実用新案登録請求の範囲】
【請求項１】
作業面に設置固定され、周囲に固定側切断溝部を備えた切断ベース部が先端に固定されて成る固定ベースアームと、固定ベースアームに対し支軸部を介して回動可能となるように枢着した可動アームと、固定ベースアームに対する可動アームの回動に伴って、当該可動アーム側面に形成されたアリ溝状のガイド用側溝部に嵌合されてスライド可能となる先端末広がりの突起を備え、前記固定側切断溝部に対応して周囲に可動側切断溝部を有する可動リンク部とを備えて成る切断機構部を有することを特徴とする切断屈曲装置。
【請求項２】
前記支軸部に対して同軸となるよう突設された梃子支点部と、該梃子支点部を中心にして固定ベースアーム、可動アームそれぞれに突設された梃子力点部とを備え、可動アームは固定ベースアームに対し支軸部の廻りで角度０°から１８０°まで回動可能となる屈曲機構部を有する請求項１記載の切断屈曲装置。
【請求項３】
固定側切断溝部、可動側切断溝部それぞれは、細径切断用と太径切断用との複数に形成されて成る請求項１または２記載の切断屈曲装置。
【請求項４】
固定ベースアームは、その前後箇所それぞれにおいて幅広な固定用面部を付設してある請求項１乃至３のいずれか記載の切断屈曲装置。
【請求項５】
固定ベースアームの一端には、当該固定ベースアームに対する可動アームの開方向への回動を阻止可能とするよう当該可動アームに掛架可能なリング状のストッパー部材が付設されている請求項１乃至４のいずれか記載の切断屈曲装置。
【考案の詳細な説明】
【技術分野】
【０００１】
本考案は、例えば鉄筋材等の棒状金属の金属材料を切断したり、任意の角度に屈曲させたりするための工作用の切断屈曲装置に関するものである。
【背景技術】
【０００２】
従来から、この種の切断屈曲装置としては、図６に示されるように、例えば地面に設置固定される固定ベースアーム２１と、固定ベースアーム２１に対し支軸部２３を介して角度が０°から９０°まで回動可能となるように枢着した可動アーム２２とを備えたものがある。そして、固定ベースアーム２１先端には、周囲に固定側切断溝部を備えた切断ベース部２４が固定され、また一端が切断ベース部２４に回動可能に枢着され、且つ固定ベースアーム２１に対する可動アーム２２の回動に伴って、他端に形成されている円柱状の突起が可動アーム２２側面に形成されたストレート溝状のガイド用側溝部に嵌合されてスライド可能となり且つ前記固定側切断溝部に対応して周囲に可動側切断溝部を備えて成る可動リンク部２５とを備えて成る切断機構部Ｓを有している。
【０００３】
そして、鉄筋材等の金属材料Ｒの切断に際し、切断ベース部２４の固定側切断溝部と可動アーム２２の可動側切断溝部とは、固定ベースアーム２１に対して可動アーム２２を角度９０°まで引き上げるように回転させて当該両溝部を合致させておき、そこに金属材料Ｒを挟み込んでから可動アーム２２を固定ベースアーム２１側に向けて傾倒回転させることで、両溝部端相互間で当該金属材料Ｒが切断されるのである。
【０００４】
また、固定ベースアーム２１、可動アーム２２それぞれの反対側面においては、図６に示されるように、前記支軸部２３に対して同軸となるよう突設された梃子支点部８と、該梃子支点部８に対して固定ベースアーム２１側に一つの梃子力点部９Ｃが形成され、可動アーム２側には前記支軸部２３を三角形の一つの頂点とした他の二つの頂点位置に対応して角度９０°屈曲用と角度１８０°屈曲用の二つの梃子力点部９Ａ，９Ｂがそれぞれ形成されて成る屈曲機構部Ｔを有している。
【０００５】
鉄筋材等の金属材料Ｒの角度１８０°に屈曲させるに際し、梃子支点部８と、固定ベースアーム２１側の梃子力点部９Ｃ、可動アーム２側の角度９０°屈曲用の梃子力点部９Ａそれぞれとの間に金属材料Ｒを挟み込み、固定ベースアーム２１に対して可動アーム２２を角度９０°まで引き上げるように回転させて当該金属材料Ｒを角度９０°に屈曲しておく。そして、可動アーム２２を固定ベースアーム２１側に向けて傾倒回転して戻しておき、梃子支点部８と、固定ベースアーム２１側の梃子力点部９Ｃ、可動アーム２２側の角度１８０°屈曲用の梃子力点部９Ｂそれぞれとの間に金属材料Ｒを入れ替えてから、再度、固定ベースアーム２１に対して可動アーム２２を角度９０°まで引き上げるように回転させることで当該金属材料Ｒが角度１８０°に屈曲されるものとしてある。
【特許文献１】特になし
【考案の開示】
【考案が解決しようとする課題】
【０００６】
しかしながら、上記した従来の切断屈曲装置は、切断機構部Ｓ、屈曲機構部Ｔそれぞれにおける固定ベースアーム２１に対する可動アーム２２の枢軸構造において、固定ベースアーム２１に対する可動アーム２２の回動に伴って、可動リンク部２５の他端に形成されている円柱状の突起が可動アーム２側面に形成されたストレート溝状のガイド用側溝部に嵌合されてスライド可能となっているため、金属材料Ｒの切断や屈曲に際し、その嵌合部分に過度な力が作用するものとなって、長い間の使用に伴いガイド用側溝部から突起が簡単に離脱されてしまう虞れがあった。
【０００７】
また、屈曲機構部Ｔによって金属材料を角度１８０°に屈曲させる場合には、固定ベースアーム２１側の梃子力点部９Ｃ、可動アーム２２側の角度９０°屈曲用の梃子力点部９Ａそれぞれとによる屈曲作業後に、金属材料Ｒを梃子力点部９Ｂ側に入れ替えて、梃子支点部８と、固定ベースアーム２１側の梃子力点部９Ｃ、可動アーム２２側の角度１８０°屈曲用の梃子力点部９Ｂそれぞれとによる屈曲作業を行わなければならず、このような入れ替え作業自体が作業者にとっては非常に面倒なものであった。
【０００８】
そこで本考案は叙上のような従来存した諸事情に鑑み案出されたもので、鉄筋材等の棒状金属の金属材料の切断機構部による切断や屈曲機構部による屈曲に際し、可動リンク部の突起が可動アーム側面のガイド用側溝部から過度な力の作用によって離脱されてしまうのを未然に防止できると共に、屈曲機構部による金属材料の角度１８０°の屈曲に際し、可動アーム側の二つの梃子力点部のいずれかに金属材料を入れ替えるというような面倒さを解消させることができるようにした切断屈曲装置を提供することを目的とする。
【課題を解決するための手段】
【０００９】
上述した課題を解決するため、本考案にあっては、作業面に設置固定され、周囲に固定側切断溝部４Ａ，４Ｂを備えた切断ベース部４が先端に固定されて成る固定ベースアーム１と、固定ベースアーム１に対し支軸部３を介して回動可能となるように枢着した可動アーム２と、固定ベースアーム１に対する可動アーム２の回動に伴って、当該可動アーム２側面に形成されたアリ溝状のガイド用側溝部７に嵌合されてスライド可能となる先端末広がりの突起６を備え、前記固定側切断溝部４Ａ，４Ｂに対応して周囲に可動側切断溝部５Ａ，５Ｂを有する可動リンク部５とを備えて成る切断機構部Ｐを有するものである。
前記支軸部３に対して同軸となるよう突設された梃子支点部８と、該梃子支点部８を中心にして固定ベースアーム１、可動アーム２それぞれに突設された梃子力点部９Ａ，９Ｂとを備え、可動アーム２は固定ベースアーム１に対し支軸部３の廻りで角度０°から１８０°まで回動可能となるようにして成る屈曲機構部Ｑを有するものとすることができる。  固定側切断溝部４Ａ，４Ｂ、可動側切断溝部５Ａ，５Ｂそれぞれは、細径切断用と太径切断用との複数に形成されて成るものとできる。
固定ベースアーム１は、その前後箇所それぞれにおいて幅広な固定用面部１０を付設してあるものとできる。
固定ベースアーム１の一端には、当該固定ベースアーム１に対する可動アーム２の開方向への回動を阻止可能とするよう当該可動アーム２に掛架可能なリング状のストッパー部材１１が付設されているものとできる。
【００１０】
以上のように構成された本考案に係る切断屈曲装置にあって、切断機構部Ｐは、固定ベースアーム１に対して可動アーム２を角度９０°まで引き上げるように回転させて切断ベース部４の固定側切断溝部４Ａ，４Ｂと可動アーム２の可動側切断溝部５Ａ，５Ｂとの空隙部分を合致させておき、そこに金属材料Ｒを挟み込んでから可動アーム２を固定ベースアーム１側に向けて傾倒回転させることで当該金属材料Ｒを切断する。この切断に際し、可動リンク部５の末広がりの突起６が可動アーム２側面に形成されたアリ溝状のガイド用側溝部７に嵌合されているため、当該可動リンク部５の突起６が可動アーム２側面のガイド用側溝部７から、過度な力の作用によっても、簡単には離脱させてしまうのを阻止させる。
また、屈曲機構部Ｑは、金属材料Ｒを角度１８０°に屈曲させるに際し、前記支軸部３と同軸となっている中央の梃子支点部８と、固定ベースアーム１、可動アーム２それぞれに突設された梃子力点部９Ａ，９Ｂとの間に金属材料Ｒを挟み込み、固定ベースアーム１に対して可動アーム２を角度１８０°まで半回転させることで当該金属材料Ｒを角度１８０°まで一機に屈曲可能にさせる。
細径切断用と太径切断用との複数に形成されている固定側切断溝部４Ａ，４Ｂ、可動側切断溝部５Ａ，５Ｂそれぞれは、例えば細径と太径との棒状金属のいずれかを選択して切断可能にさせる。
固定ベースアーム１の前後箇所それぞれに付設されている幅広な固定用面部１０は、固定ベースアーム１に対する可動アーム２の揺動回転操作に際し、固定ベースアーム１自体及び全体の横転を阻止させる。
可動アーム２に掛架させるリング状のストッパー部材１１は、固定ベースアーム１に対する可動アーム２の不用意な揺動操作を阻止させ、不使用時の安全性を向上させる。
【考案の効果】
【００１１】
本考案によれば、鉄筋材等の棒状金属の金属材料Ｒに対する切断機構部Ｐによる切断や屈曲機構部Ｑによる屈曲に際し、可動リンク部５の突起６が可動アーム２側面のガイド用側溝部７から、繰り返しの揺動回転操作時に過度な力が作用することがあっても、簡単に離脱されてしまうのを未然に防止できると共に、屈曲機構部Ｑによる金属材料Ｒの例えば角度１８０°の屈曲に際し、従来のものとは異なり、可動アーム２側の二つの梃子力点部９Ａ，９Ｂのいずれかに金属材料Ｒを入れ替えるというような面倒さを解消させることができる。
【００１２】
すなわちこれは本考案が、可動アーム２の回動に伴って、可動リンク部５に形成されている先端末広がりの突起６が可動アーム２側面に形成されたアリ溝状のガイド用側溝部７に嵌合されてスライド可能となるようにした切断機構部Ｐを有しているからであり、これにより、可動リンク部５の突起６が可動アーム２側面のガイド用側溝部７からは、過度な力が作用することによっても、簡単に離脱されてしまうのを防止することができる。
【００１３】
前記支軸部３に対して同軸となるよう突設された梃子支点部８と、該梃子支点部８を中心にして固定ベースアーム１、可動アーム２それぞれに突設された梃子力点部９Ａ，９Ｂとを備え、且つ可動アーム２は固定ベースアーム１に対し支軸部３の廻りに角度０°から１８０°まで回動可能となるようにして成る屈曲機構部Ｑを有するので、中央の梃子支点部８と、固定ベースアーム１、可動アーム２それぞれに突設された梃子力点部９Ａ，９Ｂとの間に金属材料Ｒを挟み込んでから、固定ベースアーム１に対して可動アーム２を例えば角度１８０°まで半回転させることで当該金属材料Ｒを角度１８０°まで一機に屈曲させることができ、従来のように可動アーム２側の二つの梃子力点部９Ａ，９Ｂに順次に金属材料Ｒを入れ替えるというような面倒な作業が不必要となる。もとより、角度９０°その他の角度で屈曲させる場合には、その範囲内で可動アーム２を揺動操作することで、これに対処可能である。
【００１４】
固定側切断溝部４Ａ，４Ｂ、可動側切断溝部５Ａ，５Ｂそれぞれは、細径切断用と太径切断用との複数に形成されて成るので、切断すべき金属材料Ｒの太さに対応して例えば細径と太径との棒状金属のいずれかを選択して各別に切断することができる。
【００１５】
固定ベースアーム１は、その前後箇所それぞれにおいて幅広な固定用面部１０を付設してあるので、切断または屈曲作業中に固定ベースアーム１自体及び全体の横転を未然に防止し、作業を安全に遂行することができる。
【００１６】
固定ベースアーム１の一端には、当該固定ベースアーム１に対する可動アーム２の開方向への回動を阻止可能とするよう当該可動アーム２に掛架可能なリング状のストッパー部材１１が付設されているので、例えば可動アーム２箇所を両手にもって持ち運ぶに際し、固定ベースアーム１に対する可動アーム２の不用意な揺動回転を防止でき、安全な運搬が容易に行える。
【００１７】
尚、上記の課題を解決するための手段、考案の効果の項夫々において付記した符号は、図面中に記載した構成各部を示す部分との参照を容易にするために付したもので、図面中の符号によって示された構造・形状に本考案が限定されるものではない。
【考案を実施するための最良の形態】
【００１８】
以下図面を参照して本考案を実施するための最良の一形態を説明すると、図において示される符号Ｐは、鉄筋材等の棒状金属の金属材料Ｒを切断するための切断屈曲装置における切断機構部であり、この切断機構部Ｐは、図１、図２に示すように、作業面等の地面に設置固定される剛体ロッド状の固定ハンドル１Ａを連繋してある固定ベースアーム１と、固定ベースアーム１に対し支軸部３を介して、閉じた位置から角度ほぼ１８０°に開いた位置まで回動可能となるように枢着した剛体ロッド状の可動ハンドル２Ａを連繋してある可動アーム２とを備えている。
【００１９】
図４に示すように、固定ベースアーム１の先端側面には、周囲に細径の金属材料Ｒ切断用と太径の金属材料Ｒ切断用との複数に形成されて成る固定側切断溝部４Ａ，４Ｂを備えた偏平紡錘形剛板状の切断ベース部４が締結部材によって固定されている。そして、この固定側切断溝部４Ａ，４Ｂに対応して周囲に細径の金属材料Ｒ切断用と太径の金属材料Ｒ切断用との複数に形成されて成る可動側切断溝部５Ａ，５Ｂを備え、切断ベース部４よりも若干長目の剛板状の可動リンク部５の一端が、切断ベース部４の一端拡径側の中心に締結部材によって回動可能に枢着されている。
【００２０】
また、図３に示すように、可動リンク部５の他端には先端末広がりの突起６が突設され、可動アーム２側面における支軸部３近傍位置に形成されたアリ溝状のガイド用側溝部７にこの突起６がスライド可能で、また回転自在となるようにして嵌合されている。こうして支軸部３を介しての固定ベースアーム１に対する可動アーム２の回動に伴い、可動リンク部５の先端末広がりの突起６が可動アーム２側面のアリ溝状のガイド用側溝部７に沿って離脱が阻止された状態で回転しながらもスライド移動されるものとしてある。
【００２１】
また、屈曲機構部Ｑとしては、図５に示すように、切断ベース部４、可動リンク部５それぞれが取り付けられている面とは反対側の固定ベースアーム１、可動アーム２それぞれの側面において、前記支軸部３に対して同軸となるようコロ状の梃子支点部８が突設され、該梃子支点部８を中心にして固定ベースアーム１、可動アーム２それぞれにはコロ状の梃子力点部９Ａ，９Ｂが突設されて成る。
【００２２】
さらに、図１に示すように、固定ベースアーム１の前後箇所それぞれには、矩形板状、円形板状の幅広な固定用面部１０が付設されており、切断屈曲作業中に固定ベースアーム１自体が横転しないようにしっかりと作業面に据付状態等にして固定配置できるようにしてある。そして、固定ベースアーム１の開放側一端にはリング状のストッパー部材１１が付設されており、持ち運びもしくは不使用の際には、可動ハンドル２Ａの開放側一端に形成されているグリップ部２Ｂ箇所にストッパー部材１１のリング部分を掛架させておくことで当該固定ベースアーム１に対する可動アーム２・可動ハンドル２Ａの開方向への揺動を阻止できるようにしてある。
【００２３】
次に、本構成による使用、動作について説明する。先ず、固定ベースアーム１の前後箇所にある幅広な固定用接地面部１０を堅固な作業面に設置し、可動アーム２に掛架させてあるリング状のストッパー部材１１を取り外しておく。
【００２４】
切断機構部Ｐによって棒状金属を切断するに際し、図４に示すように、固定ベースアーム１に対して可動アーム２を角度９０°まで引き上げるように揺動させて切断ベース部４の固定側切断溝部４Ａ，４Ｂ、可動アーム２の可動側切断溝部５Ａ，５Ｂそれぞれの空隙部分を合致させておき（図４（ｂ）参照）、そこに例えば棒状金属等の金属材料Ｒを挟み込んでから可動アーム２のグリップ部２Ａを固定ベースアーム１側に向けて強制的に傾倒揺動することで当該金属材料Ｒを切断する。
【００２５】
このとき図３（ａ）および図３（ｂ）に示すように、可動リンク部５の末広がりの突起６が可動アーム２側面に形成されたアリ溝状のガイド用側溝部７に嵌合されているため、当該可動リンク部５の突起６が可動アーム２側面のガイド用側溝部７からは、過度な力が作用することがあっても離脱させることがない。
【００２６】
また、屈曲機構部Ｑによって金属材料Ｒを角度１８０°屈曲するに際し、図５に示すように、前記支軸部３と同軸となっている中央の梃子支点部８と、固定ベースアーム１、可動アーム２それぞれに突設されている梃子力点部９Ａ，９Ｂとの間に金属材料Ｒを挟み込み（図５（ｂ）参照）、固定ベースアーム１に対して可動アーム２を角度０°から１８０°まで半回転させることで、当該金属材料Ｒを角度１８０°まで一機に屈曲し（図５（ｃ）参照）、また所定の屈曲角度とするときにはその範囲内で可動アーム２を揺動操作すれば良い。
【００２７】
また、屈曲機構部Ｑによって金属材料Ｒを角度１８０°以下の任意の角度に屈曲する場合には、固定ベースアーム１に対して可動アーム２を角度０°から１８０°までの間の任意の位置まで揺動させれば良い。尚、屈曲機構部Ｑによって屈曲させる金属材料Ｒは、鉄筋材にかぎらず、細帯状の帯板材をも屈曲加工することができる。
【００２８】
持ち運びもしくは不使用の際には、固定ベースアーム１一端側に付設してあるリング状のストッパー部材１１のリング部分を可動アーム２・可動ハンドル２Ａに掛架させておくことで、固定ベースアーム１側に閉じられている可動アーム２・可動ハンドルが不用意に拡開しないものとなる。
【図面の簡単な説明】
【００２９】
【図１】本考案を実施するための最良の形態を示す不使用状態の斜視図である。
【図２】同じく分解斜視図である。
【図３】同じく可動リンク部の先端末広がりの突起が可動アーム側面のアリ溝状のガイド用側溝部に嵌合している状態を示し、（ａ）は一部切欠平面図、（ｂ）は側面図である。
【図４】同じく切断機構部の使用状態を説明するもので、（ａ）は固定ベースアームに対して可動アームを角度０°に閉じた状態の一部切欠側面図、（ｂ）は固定ベースアームに対して可動アームを角度９０°まで引き上げるように回転させた状態の一部切欠側面図である。
【図５】同じく屈曲機構部の使用状態を説明するもので、（ａ）は固定ベースアームに対して可動アームを角度０°に閉じた状態の一部切欠側面図、（ｂ）は固定ベースアームに対して可動アームを角度９０°まで引き上げるように回転させて金属材料を９０°に屈曲した状態の一部切欠側面図、（ｃ）は固定ベースアームに対して可動アームを角度１８０°まで半回転させて金属材料を１８０°に屈曲した状態の一部切欠側面図である。
【図６】従来の屈曲機構部の使用状態を説明するもので、（ａ）は固定ベースアームに対して可動アームを角度０°に閉じた状態の一部切欠側面図、（ｂ）は固定ベースアームに対して可動アームを角度９０°まで引き上げるように回転させて金属材料を一方の梃子力点部により９０°に屈曲した状態の一部切欠側面図、（ｃ）は固定ベースアームに対して可動アームを角度０°に閉じた状態に戻してから金属材料を他方の梃子力点部に入れ替えて角度９０°まで回転させて当該金属材料を１８０°に屈曲しようとする状態の一部切欠側面図である。
【符号の説明】
【００３０】
Ｐ…切断機構部                          Ｑ…屈曲機構部
Ｒ…金属材料
１…固定ベースアーム                    １Ａ…固定ハンドル
２…可動アーム                          ２Ａ…可動ハンドル
２Ｂ…グリップ部                        ３…支軸部
４…切断ベース部                        ４Ａ，４Ｂ…固定側切断溝部
５…可動リンク部                        ５Ａ，５Ｂ…可動側切断溝部
６…突起                                ７…ガイド用側溝部
８…梃子支点部                          ９Ａ，９Ｂ，９Ｃ…梃子力点部
１０…固定用面部                        １１…ストッパー部材
Ｓ…切断機構部                          Ｔ…屈曲機構部
２１…固定ベースアーム                  ２２…可動アーム
２３…支軸部                            ２４…切断ベース部
２５…可動リンク部
【図１】
0003109603.tif 000003
【図２】
0003109603.tif 000004
【図３】
0003109603.tif 000005
【図４】
0003109603.tif 000006
【図５】
0003109603.tif 000007
【図６】
0003109603.tif 000008